(57)【要約】      （修正有）【課題】ネット状陳列枠に使用される既存のフック式陳列具にカード類表示機能を保持せしめる。【解決手段】カード類表示具１１は、ベース１２とアーム１３とカードホルダーとで構成されている。ベース１２は、フック体６に抱持するセンター挟持体１５とブラケット５を左右から挟持するサイド挟持体１７とを有しており、これらの挟持体１５，１７によって安定した姿勢に保持される。センター挟持体１５に設けた支柱２０にアーム１３を前後スライド自在に装着している。サイド挟持体１７は前後に長いため、左右横幅の相違する各種のブラケット５に対応できる。既存のフック式陳列具４に使用できるため汎用性が高い。【選択図】図４
2011160971.tif 000002
【特許請求の範囲】
【請求項１】
横長線材と縦長線材とで構成されたネット状陳列枠体の前記横長線材に吊り掛けられるブラケットと、前記ブラケットから前向きに突出した棒状のフック体と有しており、前記フック体に商品が吊支されるようになっている、というフック式の陳列具に取付けて使用されるカード類表示具であって、
前記陳列具のブラケットに取り付くベースと、前記陳列具におけるフック体の上方に位置して前記ベースから手前に延びるアームと、前記アームの前端に設けたカードホルダーとを有しており、前記ベースに、前記陳列具のブラケットを左右両側から挟むサイド挟持体が設けられている、
フック式陳列具用カード類表示具。
【請求項２】
前記ベースには、前記陳列具におけるフック体の付け根部を抱持するセンター挟持体を設けており、前記センター挟持体が前記フック体によって左右動不能及び下向き動不能に保持されるようになっている、
請求項１に記載したフック式陳列具用カード類表示具。
【請求項３】
前記ベースと前記アームと前記カードホルダーとはそれぞれ別部材で構成されており、前記アームが、前記ベースに前後位置調節可能に取付けられている一方、前記カードホルダーは上向きに跳ね上げ回動させ得る状態で前記アームに取付けられている、
請求項１又は２に記載したフック式陳列具用カード類表示具。
【請求項４】
前記サイド挟持体は後ろ側に向けて延びる板状の形態を成していて互いの間隔が広がるように弾性変形させることが可能であり、かつ、前記陳列具のブラケットに後ろから引っ掛かる爪を前後方向に沿って複数個設けることにより、横幅が相違する複数種類のブラケットを挟持できるように設定されている、
請求項１〜３のうちの何れかに記載したフック式陳列具用カード類表示具。
【発明の詳細な説明】
【技術分野】
【０００１】
本願発明は、ネット状陳列枠体に取付けられたフック式陳列具に商品の価格やバーコード等を表示するために使用されるカード類表示具に関するものである。
【背景技術】
【０００２】
商品を吊り下げた状態で陳列するフック式陳列具が多用されている。このフック式陳列具が取付けられる陳列枠体を見ると、角形鋼管やチャンネル材より成る横長のバーを多段に配置した横バー方式陳列枠体と、横長線材と縦長線材とで構成されたネット式陳列枠体とに大別される。
【０００３】
他方、フック式陳列具は、陳列枠体に取付けられるブラケットからフック体を前向きに突設した構造になっており、横バー方式陳列枠体に取り付けるタイプの場合は、ブラケットは横バーに上から嵌合するように側面視で下向き開口コの字形の形態になっている。一方、ネット式陳列枠体に取り付けるタイプの場合は、ブラケットの上端に横長線材に上から嵌まる鉤部が形成されており、鉤部を１本の横長線材に当てて下部を他の横長線材に当てることにより、倒れ不能に保持されている。
【０００４】
更に、フック式陳列具は、横バー式陳列枠体に使用するものにしてしもネット式陳列枠体に使用するものにしても、商品吊支用のフック体のみを備えたタイプと、カード類保持具が取付けられる上段アームを備えたタイプとがある。一般に、前者はシングルフックと称され、後者は十手フックと称されている。
【０００５】
シングルフック方式の陳列具では、商品の価格や管理コードなどを表示する場合は、ラベルに印字（印刷）してこれをラベラーで個々の商品に貼り付けねばならないが、このラベル貼り付け作業には多大の手間が掛かる。そこで、シングルフック式陳列具にカード類の保持機能を持たせるべく、シングルフック式陳列具用の後付け式カード類表示具が考えられている。
【０００６】
そして、ネット状陳列枠体用のシングルフック式陳列具にカード類表示機能を持たせる手段として、特許文献１には、ブラケット（基体部11）に上向き開口の穴を設け、この穴にカード類保持用のカードアームを上から差し込むことが開示されている。また、本願出願人は、特許文献２で、横バー式陳列枠体用のシングルフック式陳列具とネット状陳列枠体用のシングルフック式陳列具との両方に適用可能なカード類装着具を開示した。
【先行技術文献】
【特許文献】
【０００７】
【特許文献１】特開２０００−６０６９８号公報
【特許文献２】特開平１０−４３０１６号公報
【発明の概要】
【発明が解決しようとする課題】
【０００８】
さて、シングルフック式の陳列具は多くの商店等で既に大量に使用されており、既存のシングルフック式陳列具にカード類表示機能を持たせたいとの要望は極めて強い。しかるに、特許文献１は専用の陳列具を製造するものであるため、既存のシングルフック式陳列具には全く適用できないという問題がある。他方、特許文献２は既存の陳列具に適用することを目的としたものであるが、具体的な展開は横バー式陳列枠体用のシングルフック式陳列具について成されており、ネット状陳列枠体用のシングルフック式陳列具には具体化されていない。
【０００９】
本願発明はこのような現状に鑑み成されたものであり、ネット状陳列枠体用のシングルフック式陳列具に使用するのに好適なカード類表示具を提供せんとするものである。
【課題を解決するための手段】
【００１０】
本願発明は、横長線材と縦長線材とで構成されたネット状陳列枠体の前記横長線材に吊り掛けられるブラケットと、前記ブラケットから前向きに突出した棒状のフック体と有しており、前記フック体に商品が吊支されるようになっている、というフック式陳列具に取付けられるカード類表示具に関する。そして、請求項１の発明に係るカード類表示具は、前記陳列具のブラケットに取り付くベースと、前記陳列具におけるフック体の上方に位置して前記ベースから手前に延びるアームと、前記アームの前端に設けたカードホルダーとを有しており、前記ベースに、前記陳列具のブラケットを左右両側から挟むサイド挟持体を設けられている。
【００１１】
請求項１の発明は様々に展開することができる。その例として請求項の２発明は、請求項１において、前記ベースには、前記陳列具におけるフック体の付け根部を抱持するセンター挟持体を設けており、前記センター挟持体が前記フック体によって左右動不能及び下向き動不能に保持されるようになっている。
【００１２】
また、請求項３の発明は、請求項１又は２において、前記ベースと前記アームと前記カードホルダーとはそれぞれ別部材で構成されており、前記アームが、前記ベースに前後位置調節可能に取付けられている一方、前記カードホルダーは上向きに跳ね上げ回動させ得る状態で前記アームに取付けられている。
【００１３】
なお、カードホルダーは、上向き跳ね上げ回動させることに代えて（又はこれに加えて）水平回動させ得る状態でアームの先端に取り付けることも可能であり、このように構成すると、カードホルダーの左右横幅はできるだけ大きくしつつ隣り合ったカードホルダーの間隔を狭くできるため、例えば歯ブラシのような細巾の商品を間隔を詰めた状態で陳列てきる利点がある。この場合、カードホルダーはアームの先端に直接に取り付けることも可能であるし、他の中間部材を介して取り付けることも可能である。
【００１４】
更に、請求項４の発明は、請求項１〜３のうちの何れかにおいて、前記サイド挟持体は後ろ側に向けて延びる板状の形態を成していて互いの間隔が広がるように弾性変形させることが可能であり、かつ、前記陳列具のブラケットに後ろから引っ掛かる爪を前後方向に沿って複数個設けることにより、横幅が相違する複数種類のブラケットを挟持できるように設定されている。
【発明の効果】
【００１５】
さて、本願発明の使用対象であるフック式陳列具はネット状陳列枠体を構成する上下２本の横長線材に取付けられるものであり、従って、ブラケットの左右外側は前後に開口した空間になっている。本願発明はこの点を利用したものであり、ベースに設けたサイド挟持体でブラケットを左右両側から挟むことにより、カード類表示具を前向きに移動しない状態に保持できると共に、フック体の軸心回りに回転不能に保持できる。
【００１６】
従って、本願発明は、既存のネット状陳列枠体用のフック式陳列具に取り付けてこれにカード類表示機能を保持させることができる。その結果、ネット状陳列枠体用のシングルフック式陳列具を使用している商店等の要望に応えることができると共に、価格等を視認しやすくなるため購買者にとっても朗報である。
【００１７】
ベースはフック式陳列具のブラケットのみに取り付けることも可能であるが、この場合は、ブラケットは一般に板金製であって前後寸法が小さいためベースが前倒れし易くなる問題や、陳列具はブラケットの形状が相違するものが何種類も存在することから個々のブラケットごとに専用品として製造せねばならないため、コストが嵩むおそれがあるという問題がある。
【００１８】
これに対して請求項２の構成を採用すると、ベースはフック体によっても支持されるため、ベースを支持する前後長さが長くなって安定性が高くなる利点がある。また、前倒れ防止機能はセンター挟持体によって確保し、フック体の軸心回りに回転することを阻止する機能はサイド挟持体で確保できるが、フック体は全ての陳列具が備えているため、センター挟持体は各種の陳列具に対応した万能形態と成すことが可能である一方、サイド挟持体も請求項４の形態を採用することで各種の陳列具に対応することが可能になる。従って、請求項２の発明によると、姿勢安定性と汎用性とを向上できる。
【００１９】
フック式陳列具は、フック体は長さの相違するものが何種類かある。この点、請求項３の構成を採用するとアームの前後位置を調節することでフック体の長さの違いに対応できる。このため汎用性が高い。また、アーム及びカードホルダーをできるだけフック体に近づけても、カードホルダーはアームに対して跳ね上げ回動するこたとで商品をフック体から抜き外すことができる。このため、請求項３の発明は商品の陳列密度を向上できる利点もある。
【００２０】
請求項４の発明を採用すると、既述のとおり、ブラケットの横幅が相違する各種の陳列具に対応できるため汎用性に優れており、かつ、種類削減による量産効果によってコストダウンにも貢献できる。
【図面の簡単な説明】
【００２１】
【図１】（Ａ）は実施形態に係る表示具の使用状態の斜視図、（Ｂ）は陳列具の斜視図、（Ｃ）は分離斜視図である。
【図２】（Ａ）は表示具を斜め手前から見た斜視図、（Ｂ）はベースの正面図、（Ｃ）は後ろから見た斜視図である。
【図３】（Ａ）はベースとアームとの分離斜視図、（Ｂ）はベースを下方から見た斜視図である。
【図４】（Ａ）は使用状態の側面図、（Ｂ）は（Ａ）のＢ−Ｂ視断面図、（Ｃ）は（Ａ）の平面図である。
【図５】他に使用できる陳列具の斜視図である。
【発明を実施するための形態】
【００２２】
次に、本願発明の実施形態を図面に基づいて説明する。図１（Ａ）に示すように、横長線材１の群と縦長線材２の群とでネット状陳列枠体３が構成されており、この陳列枠体３に使用される陳列具４は、ブラケット５とこれから前向きに突出した１本のフック体６とで構成されている。
【００２３】
陳列具４のブラケット５はステンレス板やスチール板のような金属板を使用した板金加工品であり、下に行くほど左右巾が小さくなる正面視略三角形（或いは縦長台形）の基本形態を成しており、上端には横長線材１に上から嵌まる左右一対の鉤部７が形成されている（ブラケットは樹脂の成形品を使用することも可能である。）。左右鉤部７の間は切欠き８になっているが、切欠き８が存在しない形態であってもよい。ブラケット５の上下高さ寸法は横長線材１の配置ピッチよりも大きくなっており、上下２段の横長線材１のうち上段の横長線材１に鉤部７が嵌まって、下段の横長線材１にブラケット１の下部が前から当たることにより、陳列具４は安定した姿勢に保持される。
【００２４】
カード類表示具１１は、陳列具４に取り付くベース１２と、ベース１２から前向きに延びるアーム１３と、アーム１３の先端に設けたカードホルダー１４とで構成されており、本実施形態では、これらは樹脂を素材とした成形品として別部材に製造されている。以下、詳述する。
【００２５】
(1).ベース
ベース１２は、陳列具４におけるフック体６の付け根部に嵌まる下向き開口のセンター挟持体１５を備えており、このセンター挟持体１５の下部には左右一対の前面板１６が一体に設けられており、左右の前面板１６の外端から板状のサイド挟持体１７が後ろ向きに平行に延びている。例えば図３に明示するように、センター挟持体１５はある程度の前後長さを有していてドーム状の形態になっている。このため、表示具１１は前倒れすることなく安定した姿勢に保持される。
【００２６】
さて、陳列具４は、一般に、フック体６の外径が４ｍｍのタイプと５ｍｍのタイプと６ｍｍのタイプとの３種類が使用されている。そこで本実施形態では、センター挟持体１５に５ｍｍ用の中間くびれ部１５ａを形成することで外径が５ｍｍのフック体６に対応し、上底部１５ｂの曲率半径を約２ｍｍとすることで外径が４ｍｍのフック体６に対応し、更に、左右の前面板１６の間隔を約６ｍｍに設定することで６ｍｍのフック体６に対応している。
【００２７】
センター挟持体１５に６ｍｍ用と５ｍｍ用との２段のくびれ部を形成することも可能である。また、１つの中間くびれ部１５ａを６ｍｍ用と５ｍｍ用とに兼用することも可能である。なお、センター挟持体１５は、商品吊支フック体６への嵌め込みに際しては弾性変形しても、嵌め込み切ったら元の状態に復帰して弾性復元力は解除されるように設定している。
【００２８】
サイド挟持体１７は前面板１６のおおよそ下半部に繋がっており、従って、サイド挟持体１７の上下巾寸法（或いは高さ寸法）は前面板１６の高さ寸法の半分程度になっている（これらの寸法は任意に設定できる。）。陳列具４のブラケット５は左右巾が異なるものが複数種類あり、また、図５に数例を示すようにブラケット５は側板５ａを備えたものもある。
【００２９】
そこで本実施形態では、サイド挟持体１７は前面板１６から片持ち梁の状態で後ろに長く延びるように形成して、互いの間隔を大きく広げ得るように設定することにより、ブラケット５の左右巾の違いを吸収できるように配慮している。具体的には、ブラケット５の左右巾は２０〜３０ｍｍ程度が多いので、左右サイド挟持体１７の間隔を概ね２０ｍｍ程度に設定すると共に、後ろ向き突出寸法を２５〜３０ｍｍ程度に設定することにより、殆どの巾のブラケット５を挟持できるように配慮している。
【００３０】
更に、サイド挟持体１７のうち先端部（自由端）にはエンド係合爪１８を内向きに（左右の係合爪１８が相対向するように）突設し、後端寄りの部位には中間係合爪（或いは中間突起）１９を内向きに突設しており、これら係合爪１８，１９をブラケット５の側縁に後ろから当接させることにより、表示具１１を前向き移動不能に保持している。中間係合爪１９のような係合手段は、前後方向に並んだ状態で断続的に又は連続的に複数個（或いは多数）形成することも可能である。
【００３１】
図４では中間係合爪１９をブラケット５の側縁に係合させているが、サイド挟持体１７はあまり大きく弾性変形させると復元力が弱くなる場合があるので、エンド係合爪１８をブラケット５に係合させることにより、サイド挟持体１７の弾性変形量をできるだけ小さくするのが好ましいと言える。エンド挟持体１８をブラケット５に係合させると、センター挟持体１５は図４の状態から両係合爪１８，１９の間隔寸法だけ手前にずれることになる。
【００３２】
(2).アーム・カードホルダー
センター挟持体１５からは平面視Ｔ形の支柱２０が上向きに突出しており、この支柱２０の状態に前後長手の梁部２１を一体に設けている。梁部２１の下面と支柱２０の前面とには補強リブ２１ａが一体に繋がっている。梁部２１は上向きに開口の蟻溝２２を有する溝形になっている。他方、アーム１３は略半円状の断面形状になっており、梁部２１の蟻溝２２にスライド自在で上向き抜け不能に嵌まるように左右一対のフランジ２３を一体に設けている。また、内部には下向きの補強リブ２４も設けている。
【００３３】
図３（Ａ）に明示するように、アーム１３の後部には蟻溝２２の内側面に当接する平坦部２５を形成しており、このため平坦部２５の前端部には僅かの段２５ａが形成されている。段２５ａをストッパーとして、アーム１３の押し込み後退位置を規制することが可能である。アーム１３における平坦部２５の後部と蟻溝２２の内側面の全体とには平面視波形のローレット部２６，２７が形成されている。これらのローレット部２６，２７の噛み合いにより、アーム１３を簡単にはスライドしない状態に保持できる。アーム１３における平坦部２５の全体にローレット部２６を形成することも可能である。
【００３４】
図１（Ｃ）に示すように、アーム１３の前端には左右横長で下向きに開口した軸受け部２８が形成されている。他方、カードホルダー１４は基板２９と前板３０とを有しており、両者の間にカード類Ｃを上から抜き差しできるようになっている。基板２９と前板３０とのうち少なくとも前板３０は透明である。基板２９と前板３０とは全体を一体成形することも可能であるし、別部材に製造して嵌着又は接着で一体化することも可能である。
【００３５】
基板２９の背面には左右の支持片３１を介して円柱状の支軸３２が一体に設けられており、支軸３２をアーム１３の軸受け部２８に嵌め込んでいる。軸受け部２８の左右中間部には抜け止め用突起３３を設けており、支軸３２は軸受け部２８を弾性変形させることでこれに嵌め込まれる。
【００３６】
また、軸受け部２８のうちその一端部（左端部）に外向きに突出した前後２つのストッパー３４，３５を設けており、一方の（左側の）支持片３１がストッパー３４，３５に当たることでカードホルダー１４の回動範囲が規制されるようになっている。すなわち、一方の支持片３１がフロントストッパー３４に当たることでカードホルダー１４の前向き回動姿勢が規制され、一方の支持片３１がリアストッパー３５に当たることでカードホルダー１４の跳ね上げ回動姿勢が規制される。
【００３７】
(3).まとめ
以上のとおり、本実施形態の表示具１１を使用することにより、既存の陳列具４にカード類表示機能を持たせることができる。センター挟持体１５でフック体６をある程度の長さで抱持しているため、表示具１１は前倒れ不能に保持されており、かつ、左右のサイド挟持体１７で陳列具４のブラケット５が左右から挟まれているため、表示具１１はフック体６の軸心回りに回転不能に保持されており、その結果、表示具１１は安定した姿勢に保持されている。
【００３８】
また、アーム１３は前後位置を調節できるため、陳列具４の長さの違いに対応することができ、更に、カード類表示部１４は跳ね上げ回動させることができるため、当該カード類表示部１４をできるだけ下に下げて商品の陳列効率を高めることができる。また、図５に一部を表示するように陳列具４のブラケット５は様々な形状があり、その左右横幅も相違するが、本実施形態ではサイド挟持体１７が後ろ向きに長く延びているため、左右のサイド挟持体１７の広げる間隔を調節することにより、ブラケット５の横幅が相違してもこれらを挟み保持することができる。
【００３９】
なお、最も巾狭のブラケット５の場合、嵌め込みに際してはサイド挟持体１７を若干広げねばならないが、係合爪１８，１９がブラケット５を乗り越えると元との状態に戻って、サイド挟持体１７には弾性復元力は全く又は殆ど無いように設定している。
【００４０】
ブラケット５の横幅が大きいとサイド挟持体１７の後部で挟むことになり、すると、センター挟持体１５は手前側にずれることになる。従って、全長が同じであってもブラケット５の横幅が相違することでセンター挟持体１５の前後位置は変化するが、本実施形態ではアーム１３はベース１２に対して前後スライド自在に装着されているため、ブラケット５の横幅が相違することに起因してベース１２の前後位置が変わることにも対応し、カードホルダー１４を最適の位置に保持できるのである。
【００４１】
センター挟持部１５は、フック体６に嵌まる穴（上下長手の長穴）を有する正面視で閉ループ状に形成して、フック体６に差し込むことで取り付けることも可能であるが、本実施形態のように下向きに開口した形態を採用すると、フック体６に上方から嵌め込みできるため、取付け作業をワンタッチ的に行えるのみならず、商品が吊り下げられている状態でも、一々商品を抜き外すことなくセットできる利点がある。
【００４２】
(4).その他
本願発明は上記の実施形態の他にも様々に具体化できる。例えばベースやアーム、カード類表示部の形態は必要に応じて設計変更可能である。個々の陳列具の専用品として設計することも可能であり、例えば図１（Ｂ）の陳列具４のようにブラケット５に穴９が空いているものに適用する場合、この穴９に規制部材を嵌め込むことで回り止めを図ることも可能である。カードホルダーは、側面視での姿勢を弾性に抗して段階的に変え得る状態でアームの先端部に取り付けることも可能である。
【００４３】
また、アームをベースにスライド可能に取り付ける場合、例えば梁部２１を円筒形に形成してこれに円柱状又は円筒状に形成したアーム１３を挿入するなどしてもよい。また、ベースへのアームの取付け手段はスライド方式には限らず、特許文献２に開示されているスナップ係合方式など様々の取付け手段を採用できる。敢えて述べるまでもないが、アームをベースに一体化したり、カードホルダーをアームに一体成形したり、表示具の全体を一体成形したりすることも可能である。
【００４４】
カードホルダーは実施形態のような挟み込み方式である必然性はないので、前面にカード類を貼り付ける方式とすることも可能である。また、カード類には電子タグも包含される。なお、本実施形態のようにベースとアームとを別部材としている場合、ベースのみも独立して請求項たり得る。
【符号の説明】
【００４５】
１  ネット状陳列枠体の横長線材
２  ネット状陳列枠体の縦長線材
３  ネット状陳列枠体
４  陳列具
５  ブラケット
６  フック体
１１  カード類表示具
１２  ベース
１３  アーム
１４  カードホルダー
１５  センター挟持体
１７  回り止め手段の一例としてのサイド挟持体
１８，１９  係合爪
【図１】
2011160971.tif 000003
【図２】
2011160971.tif 000004
【図３】
2011160971.tif 000005
【図４】
2011160971.tif 000006
【図５】
2011160971.tif 000007